(57)【特許請求の範囲】
【請求項１】
廃棄物が貯蔵されるピットと、ピットに隣設されてクレーンに依り廃棄物が投入されるホッパと、ピットとホッパとの間に形成されて作業者が通行できる通路と、通路を覆う閉位置から通路を開放する開位置まで回動可能に設けられて開位置では通路の側壁にされるカバーと、カバーを開閉させる駆動機構と、から構成した事を特徴とする廃棄物供給設備。
【請求項２】
カバーを開位置に保持し得るストッパを備えている請求項１に記載の廃棄物供給設備。
【発明の詳細な説明】
【０００１】
【発明の属する技術分野】
本発明は、例えばごみ等の廃棄物を焼却処理する廃棄物焼却施設に用いられる廃棄物供給設備の改良に関する。
【０００２】
【従来の技術】
従来、この種の廃棄物供給設備としては、例えば特公平２−２２２９３号に記載されたものが知られている。
当該廃棄物供給設備は、廃棄物が貯蔵されるピットと、ピットに隣設されてクレーンに依り廃棄物が投入されるホッパと、ピットとホッパとの間に設けられてピットからホッパへ垂れ下がった紐類を掻き集める掻き集め装置と、掻き集められた紐類を切断するカッタ装置とから構成されている。つまり、従来の廃棄物供給設備は、掻き集め装置とカッタ装置とから成る紐類切断装置を備えたものである。
【０００３】
【発明が解決しようとする課題】
ところが、この様なものは、ピットからホッパへ垂れ下がった紐類が大量にある場合には、紐類切断装置のとりわけ掻き集め装置の動力に限界が生じて切断処理が行なえない難点があった。
本発明は、叙上の問題点に鑑み、これを解消する為に創案されたもので、その課題とする処は、ピットからホッパへ垂れ下がった紐類が大量にあっても、確実に切断処理が行なえる様にした廃棄物供給設備を提供するにある。
【０００４】
【課題を解決するための手段】
本発明の廃棄物供給設備は、基本的には、廃棄物が貯蔵されるピットと、ピットに隣設されてクレーンに依り廃棄物が投入されるホッパと、ピットとホッパとの間に形成されて作業者が通行できる通路と、通路を覆う閉位置から通路を開放する開位置まで回動可能に設けられて開位置では通路の側壁にされるカバーと、カバーを開閉させる駆動機構と、から構成した事に特徴が存する。
【０００５】
通常は、駆動機構に依りカバーが閉位置にされてカバーに依り通路が覆われている。この様な状態に於て、ピットに貯蔵されている廃棄物は、クレーンに依りホッパに投入されて焼却炉内で焼却される。この時、廃棄物中に混入している紐やテープ等の紐類は、ピットとホッパとの間に位置する閉位置のカバー上に跨った状態で垂れ下がる。
紐類を切断する場合は、駆動機構に依りカバーが開位置に回動されて通路が開放される。そうすると、紐類は、カバーの開位置への回動に依り解されたりその一部が切断されたりする。切断されなかった紐類は、作業者が通路を通行しながら、携行可能な切断器具に依り切断される。従って、紐類が大量にあっても、又、紐類の種類を問わず、作業者に依り確実に切断する事ができる。
カバーは、開位置では、通路の側壁として機能するので、作業者がピットやホッパへ転落する危険性がなくなり、安全性を確保する事ができる。
【０００６】
カバーを開位置に保持し得るストッパを備えていても良い。この様にすれば、仮え駆動機構が故障や損傷しても、カバーが開位置以上に回動する事がないので、通路を通行する作業者の安全性を更に高める事ができる。
【０００７】
ホッパの上部が通路より上突して通路の一方の側壁にされ、且つカバーが通路のピット側に設けられて閉位置ではホッパの上部との間で山型に合掌されると共に開位置では通路の他方の側壁にされる様にしても良い。この様にすれば、カバーを一側だけに設ければ良いので、構造が簡略化されて容易に設置できる。
【０００８】
カバーが通路のピット側とホッパ側の両方に設けられて閉位置では山型に合掌されると共に開位置では通路の両側壁にされる様にしても良い。この様にすれば、例えばホッパの上部が通路より上突していない場合でも容易に設置できる。
【０００９】
【発明の実施の形態】
以下、本発明の実施の形態を、図面に基づいて説明する。
図１は、本発明の廃棄物供給設備のカバーを閉位置にした状態を示す側面図。図２は、カバーを開位置にした状態を示す図１と同様図。図３は、図１の平面図である。
【００１０】
廃棄物供給設備１は、ピット２、ホッパ３、通路４、カバー５、駆動機構６、ストッパ７とからその主要部が構成されて居り、ごみ等の廃棄物を焼却処理する廃棄物焼却施設に適用される。
【００１１】
ピット２は、廃棄物（図示せず）が貯蔵されるもので、この例では、ごみ等の廃棄物が貯蔵されて居り、その上面が平坦なフロアＦＬになっている。
【００１２】
ホッパ３は、ピット２に隣設されてクレーン（図示せず）に依り廃棄物が投入されるもので、この例では、その上部がフロアＦＬより上突して居り、通路４側の傾斜壁８は、通路４の一方の側壁として機能する。
【００１３】
通路４は、ピット２とホッパ３との間に形成されて作業者Ａが通行できるもので、この例では、ピット２とホッパ３との間のフロアＦＬ上に一段高くして形成されている。
【００１４】
カバー５は、通路４を覆う閉位置から通路４を開放する開位置まで回動可能に設けられて開位置では通路４の側壁にされるもので、この例では、長片９と短片１０を備えた断面略倒立Ｌ型を呈し、長片９の下部が通路４のピット２側に通路４に平行な水平軸１１に依り回動可能に設けられている。つまり、カバー５は、長片９の下部に設けられた左右のブラケット１２と、これに設けられて通路４に平行な左右の水平軸１１と、通路４のピット２側に設けられて水平軸１１を軸支する左右の軸受１３とに依り水平軸廻りに回動可能に設けられている。カバー５の短片１０は、閉位置ではホッパ３の傾斜壁８の上方に連続されてその遊端が傾斜壁８の上端に被さって当合される様になっている。
【００１５】
駆動機構６は、カバー５を開閉させるもので、この例では、カバー５の長片９の内側中位に設けられた横材１４と、これに設けられた左右のブラケット１５と、ホッパ３側のフロアＦＬに設けられた左右のブラケット１６と、両ブラケット１５，１６の間に介設された左右のシリンダ（エアシリンダ）１７とから成っている。
【００１６】
ストッパ７は、カバー５を開位置に保持し得るもので、この例では、カバー５が閉位置の時には折曲されると共に開位置の時には一直線状を為す折曲可能な二節リンク（二つ折れリンク）にしてあり、駆動機構６に隣設され、横材１４に設けられた左右のブラケット１８と、ホッパ３側のフロアＦＬに設けられた左右のブラケット１９との間に介設されている。
【００１７】
図３に於て、２０は安全柵である。
【００１８】
次に、この様な構成に基づいてその作用を述解する。
通常は、駆動機構６のシリンダ１７が短縮される事に依りカバー５が閉位置にされてカバー５に依り通路４が覆われている（図１，３参照）。この様な状態に於て、ピット２に貯蔵されている廃棄物は、クレーン（図示せず）に依りホッパ３に投入されて焼却炉（図示せず）内で焼却される。この時、廃棄物中に混入している紐やテープ等の紐類Ａは、ピット２とホッパ３との間に位置する閉位置のカバー５上に跨った状態で垂れ下がる（図１参照）。
紐類Ａを切断する場合は、駆動機構６のシリンダ１７が伸長される事に依りカバー５が開位置に回動されて通路４が開放される（図２参照）。そうすると、紐類Ａは、カバー５の開位置への回動に依り解されたりその一部が切断されたりする。切断されなかった紐類Ａは、作業者Ｂが通路４を通行しながら、携行可能な切断器具（図示せず）に依り切断される。従って、紐類Ａが大量にあっても、又、紐類Ａの種類を問わず、作業者Ｂに依り確実に切断する事ができる。
【００１９】
カバー５は、開位置では、通路のピット2側の側壁として機能すると共に、ホッパ３の通路４側の傾斜壁８は、通路４のホッパ３側の側壁として機能するので、作業者Ｂがピット２やホッパ３へ転落する危険性がなくなり、安全性を確保する事ができる。
作業者Ｂに依り紐類Ａを確実に切断できるので、ピット２とホッパ３との間に垂れ下がった紐類Ａを介してホッパ３内の火がピット２内に燃え移る事に依って起こるピット火災を防止する事ができる。
【００２０】
尚、カバー５は、先の例では、通路４のピット２側にのみ設けられていたが、これに限らず、例えば通路４のピット２側とホッパ３側との両方に設けられて閉位置では山型に合掌されると共に開位置では通路４の両側壁にされるものでも良い。
駆動機構６は、先の例では、エアシリンダを用いたが、これに限らず、例えば電動シリンダやモータ等を用いても良い。
ストッパ７は、先の例では、折曲可能な二節リンクであったが、これに限らず、例えば当離合する二つの当片で構成したり、チェーンやワイヤ等を用いても良い。
【００２１】
【発明の効果】
以上、既述した如く、本発明に依れば、次の様な優れた効果を奏する事ができる。
（１）  ピット、ホッパ、通路、カバー、駆動機構とで構成し、とりわけピットとホッパとの間に形成されて作業者が通行できる通路と、通路を覆う閉位置から通路を開放する開位置まで回動可能で開位置では通路の側壁にされるカバーと、これを開閉させる駆動機構とを設けたので、ピットからホッパへ垂れ下がった紐類が大量にあっても、確実に切断処理が行なえる。
【図面の簡単な説明】
【図１】本発明の廃棄物供給設備のカバーを閉位置にした状態を示す側面図。
【図２】カバーを開位置にした状態を示す図１と同様図。
【図３】図１の平面図。
【符号の説明】
１…廃棄物供給設備、２…ピット、３…ホッパ、４…通路、５…カバー、６…駆動機構、７ストッパ、８…傾斜壁、９…長片、１０…短片、１１…水平軸、１２…ブラケット、１３，１５，１６，１８，１９…軸受、１４…横材、１７…シリンダ、２０…安全柵、Ａ…作業者、Ｂ…紐類、ＦＬ…フロア。
【図１】
0003784574.tif 000002
【図２】
0003784574.tif 000003
【図３】
0003784574.tif 000004